(57)【要約】  本発明の目的は、模型歯を模型本体に強く固定することができ、かつ、模型歯を所望の長さで構成できる歯科模型を提供することである。  歯科模型１は、模型本体１０と、歯冠部２１及び歯根部２２を有し模型本体１０に取り付けられる模型歯２０と、軸部３１及び頭部３２を有し模型歯２０を模型本体１０に着脱可能に接続するネジ３０と、を備える。模型本体１０は、基部１１と、基部１１における一方の面１１ａに設けられ、歯根部２２が配置される歯根配置部１２と、歯根配置部１２に形成され、軸部３１が挿通される穴部１３と、基部１１の一方の面１１ａから突出すると共に、歯根配置部１２に配置された歯根部２２の側面を支持する支持片１５と、を備える。模型歯２０は、軸部３１が螺合されるネジ孔部２４と、支持片１５に支持される被支持部２５と、を備える。
2012124714.tif 000002
【特許請求の範囲】
【請求項１】
模型本体と、歯冠部及び歯根部を有し前記模型本体に取り付けられる模型歯と、周面に雄ネジ部が形成された軸部及び頭部を有し前記模型歯を前記模型本体に着脱可能に接続するネジと、を備える歯科模型であって、
前記模型本体は、
基部と、
前記基部における一方の面に設けられ、前記歯根部が配置される歯根配置部と、
前記基部における前記歯根配置部に形成され、前記軸部が挿通される穴部と、
前記基部の前記一方の面から突出すると共に、前記歯根配置部に配置された前記歯根部の側面を支持する支持片と、を備え、
前記模型歯は、前記軸部が螺合されるネジ孔部と、前記歯根部の側面に設けられ前記支持片に支持される被支持部と、を備える歯科模型。
【請求項２】
前記支持片の先端部には、前記歯根部の側面側に突出する係合凸部が形成され、
前記被支持部には、前記係合凸部に係合される係合凹部が形成される請求項１に記載の歯科模型。
【請求項３】
前記被支持部には、前記支持片側に突出する係合凸部が形成され、
前記支持片の先端部には、前記係合凸部に係合する係合凹部が形成される請求項１に記載の歯科模型。
【請求項４】
前記歯根部は、前記歯冠部側に位置する実歯部と、前記実歯部よりも基端側に位置し前記ネジ孔部が形成される延長部と、を備え、
前記模型歯は、前記歯冠部から前記実歯部に亘って延びる神経孔部を備える請求項１〜３のいずれかに記載の歯科模型。
【請求項５】
前記模型本体は、前記基部の一方の面側に配置される歯肉部を更に備え、
前記歯肉部は、前記歯根配置部に対応する位置に形成され前記歯根部が挿入される歯根挿入部を備える請求項１〜４のいずれかに記載の歯科模型。
【請求項６】
前記支持片は、前記基部における前記模型歯の内側に配置される請求項１〜５のいずれかに記載の歯科模型。
【請求項７】
前記模型本体は、前記基部における前記模型歯を挟んで前記支持片と対向する位置に配置され、前記歯根部の側面に当接する当接片を更に備える請求項１〜６のいずれかに記載の歯科模型。
【請求項８】
前記ネジ孔部の径は、前記軸部の直径よりも小さい部分を有して構成され、
前記ネジは、前記雄ネジ部により前記ネジ孔部の周面を削りながら前記模型歯に接続される請求項１〜７のいずれかに記載の歯科模型。
【請求項９】
基部と、前記基部における一方の面に設けられる歯根配置部と、前記基部における前記歯根配置部に形成される穴部と、前記基部の前記一方の面から突出する支持片と、を備える模型本体における前記歯根配置部に着脱可能に取り付けられる模型歯であって、
歯冠部と、
端面が前記歯根配置部に当接される歯根部と、
前記歯根部における前記端面に設けられるネジ孔部と、
前記歯根部の側面に設けられ前記支持片に支持される被支持部と、を備える模型歯。
【請求項１０】
前記被支持部に形成され、前記支持片に形成された係合凸部に係合可能な係合凹部を更に備える請求項９に記載の模型歯。
【請求項１１】
前記被支持部に形成され、前記支持片に形成された係合凹部に係合可能な係合凸部を更に備える請求項９に記載の模型歯。
【発明の詳細な説明】
【技術分野】
【０００１】
本発明は、歯科模型及び模型歯に関する。
【背景技術】
【０００２】
従来、歯科教育機関（歯科大学、衛生士学校、技工士学校）、歯科医院、歯科セミナー等においては、種々の実習を行う場合に歯科模型が用いられている。このような歯科模型は、模型本体と、この模型本体に着脱可能に固定される複数の模型歯と、を備えている。
従来の歯科模型は、模型歯を模型本体に着脱可能とするために、模型歯と模型本体とをネジで固定している（例えば、特許文献１参照）。ここで、模型歯の模型本体に対する固定は、実習に耐えうる程度に強固に行う必要がある。そのため、従来の歯科模型では、模型歯を固定するネジの軸部分の長さを長く構成する必要があった。【０００３】
一方、歯科模型は、実習用として使用されるので、模型歯の大きさや形状は、実際の歯の大きさや形状に似ていることが求められる。例えば、模型歯には、実際の歯のように、神経が通る部分に神経孔部が設けられる場合がある。そして、実際の歯の神経は、歯の根元部分である歯根部にも存在する。
【先行技術文献】
【特許文献】
【０００４】
【特許文献１】特開２００７−３２８０８３号公報
【発明の概要】
【発明が解決しようとする課題】
【０００５】
しかしながら、従来の歯科模型では、模型歯を模型本体に対して強固に固定するために、ネジの軸部分を長く構成した場合には、模型歯の歯根部に形成されてネジが螺合するネジ孔の長さが長くなってしまう。そのため、歯根部のネジ孔が設けられた部分には、神経孔部を設けることができなかった。
また、例えば、模型歯の歯根部に神経孔部を設け、かつ、模型歯を模型本体に強固に固定するためには、歯根部にネジ孔を形成する部分と神経孔部を形成する部分を設ける必要がある。そのため、このような場合には、模型歯の長さが実際の歯の長さよりも長くなってしまい、模型歯の大きさや形状が実際の歯の大きさや形状と異なったり、上下顎の一定間隔内に収まりきらなかったりという問題があった。【０００６】
従って、本発明は、模型歯を模型本体に強く固定することができ、かつ、模型歯を所望の長さで構成できる歯科模型、及びこの歯科模型に用いられる模型歯を提供することを目的とする。
【課題を解決するための手段】
【０００７】
本発明は、模型本体と、歯冠部及び歯根部を有し前記模型本体に取り付けられる模型歯と、周面に雄ネジ部が形成された軸部、及び頭部を有し前記模型歯を前記模型本体に着脱可能に接続するネジと、を備える歯科模型であって、前記模型本体は、基部と、前記基部における一方の面に設けられ、前記歯根部が配置される歯根配置部と、前記基部における前記歯根配置部に形成され、前記軸部が挿通される穴部と、前記基部の前記一方の面から突出すると共に、前記歯根配置部に配置された前記歯根部の側面を支持する支持片と、を備え、前記模型歯は、前記軸部が螺合されるネジ孔部と、前記歯根部の側面に設けられ前記支持片に支持される被支持部と、を備える歯科模型に関する。【０００８】
また、前記支持片の先端部には、前記歯根部の側面側に突出する係合凸部が形成され、前記被支持部には、前記係合凸部に係合される係合凹部が形成されることが好ましい。【０００９】
また、前記被支持部には、前記支持片側に突出する係合凸部が形成され、前記支持片の先端部には、前記係合凸部に係合する係合凹部が形成されることが好ましい。【００１０】
また、前記歯根部は、前記歯冠部側に位置する実歯部と、前記実歯部よりも前記模型歯の基端側に位置し前記ネジ孔部が形成される延長部と、を備え、前記模型歯は、前記歯冠部から前記実歯部に亘って延びる神経部を備えることが好ましい。【００１１】
また、前記模型本体は、前記基部の一方の面側に配置される歯肉部を更に備え、前記歯肉部は、前記歯根配置部に対応する位置に形成され前記歯根部が挿入される歯根挿入部を備えることが好ましい。【００１２】
また、前記支持片は、前記基部における前記模型歯の内側に配置されることが好ましい。【００１３】
また、前記模型本体は、前記基部における前記模型歯を挟んで前記支持片と対向する位置に配置され、前記歯根部の側面に当接する当接片を更に備えることが好ましい。【００１４】
また、前記ネジ孔部の径は、前記軸部の直径よりも小さい部分を有して構成され、前記ネジは、前記雄ネジ部により前記ネジ孔部の周面を削りながら前記模型歯に接続されることが好ましい。【００１５】
本発明は、基部と、前記基部における一方の面に設けられる歯根配置部と、前記基部における前記歯根配置部に形成される穴部と、前記基部の前記一方の面から突出する支持片と、を備える模型本体における前記歯根配置部に着脱可能に取り付けられる模型歯であって、歯冠部と、端面が前記歯根配置部に当接される歯根部と、前記歯根部における前記端面に設けられるネジ孔部と、前記歯根部の側面に設けられ前記支持片に支持される被支持部と、を備える模型歯に関する。【００１６】
また、模型歯は、前記被支持部に形成され、前記支持片に形成された係合凸部に係合可能な係合凹部を更に備えることが好ましい。【００１７】
また、模型歯は、前記被支持部に形成され、前記支持片に形成された係合凹部に係合可能な係合凸部を更に備えることが好ましい。
【発明の効果】
【００１８】
本発明の歯科模型によれば、模型歯を模型本体に強く固定することができ、かつ、模型歯を所望の長さで構成できる。
【図面の簡単な説明】
【００１９】
【図１】第１実施形態に係る歯科模型を示す斜視図である。
【図２】第１実施形態に係る歯科模型の分解斜視図である。
【図３】第１実施形態に係る歯科模型を示すもので、図１のＡ−Ａ線断面図である。
【図４】図３に示す歯科模型の分解図である。
【図５】第１実施形態に係る歯科模型の概略正面図である。
【図６】第２実歯形態に係る歯科模型を示すもので、図１のＡ−Ａ線断面図である。
【図７】図６に示す歯科模型の基部を示す断面図である。
【図８】図８（Ａ）は、第３実施形態の歯科模型におけるネジ孔部の形状及び大きさと、ネジの軸部の直径との関係を模式的に示す図であり、図８（Ｂ）は、図８ＡのＢ−Ｂ線断面図である。
【図９】ネジ孔部の形状の変形例を示す図である。
【発明を実施するための形態】
【００２０】
以下、本発明の歯科模型１の実施形態について、図面を参照しながら説明する。まず、第１実施形態の歯科模型１について、図１〜図５を参照して説明する。
第１実施形態の歯科模型１は、人体における下顎側を模したものであり、歯科教育機関（歯科大学、衛生士学校、技工士学校）、歯科医院、歯科セミナー等において、実習用として使用される。
【００２１】
第１実施形態の歯科模型１は、図１及び図２に示すように、模型本体１０と、複数の模型歯２０と、これら複数の模型歯２０を模型本体１０に着脱自在に固定する複数のネジ３０と、を備える。
【００２２】
模型本体１０は、歯科模型１における顎骨部分及び歯肉部分を構成する。この模型本体１０は、主として顎骨部分を構成する基部１１と、主として歯肉部分を構成する歯肉部１６と、を備える。
【００２３】
基部１１は、硬質の合成樹脂材が成形されて構成される。この基部１１は、図２〜図４に示すように、ベース板１１１と、このベース板１１１に設けられる複数の歯根配置部１２、複数の穴部１３、及び複数の支持片１５と、ベース板１１１の外周端部から起立する周壁部１１２と、を備える。
【００２４】
ベース板１１１は、図２に示すように、平面視において略半楕円形状の板状に構成される。
複数の歯根配置部１２は、歯科模型１における複数の模型歯２０が配置される位置に設けられる。より具体的には、複数の歯根配置部１２は、ベース板１１１の円弧状の側縁から所定間隔をあけた内側に、ベース板１１１の円弧状の側縁に沿って設けられる。
複数の歯根配置部１２は、図３及び図４に示すように、基部１１の一部が基部１１の一方の面１１ａ側に凸状に突出して構成される。
複数の穴部１３は、複数の歯根配置部１２それぞれに設けられる。複数の穴部１３は、複数の歯根配置部１２の突出端面（第１実施形態における上面）に形成される。
【００２５】
複数の支持片１５は、図２〜図４に示すように、複数の歯根配置部１２それぞれに対応して設けられ、基部１１の一方の面１１ａから突出する。複数の支持片１５は、図２に示すように、基部１１における複数の歯根配置部１２が設けられた位置の内側に配置される。複数の支持片１５は、図３及び図４に示すように、複数の歯根配置部１２の上面よりも高い位置まで突出しており、これら複数の支持片１５の先端側には、歯根配置部１２側に突出する係合凸部１５１が形成される。
周壁部１１２は、図２に示すように、ベース板１１１の全周から一方の面１１ａ側に起立する。
【００２６】
第１実施形態では、基部１１を構成するベース板１１１、複数の歯根配置部１２、複数の支持片１５及び周壁部１１２は、射出成形等により、一体成形されて構成される。
【００２７】
歯肉部１６は、基部１１の一方の面１１ａ側に配置される。この歯肉部１６は、図２〜図４に示すように、複数の歯根配置部１２を覆う歯根被覆部１６１と、この歯根被覆部１６１に設けられる複数の歯根挿入部１６２及び複数の歯肉凹部１６３と、を備える。
【００２８】
歯根被覆部１６１は、基部１１の一方の面１１ａ側に盛り上がるように配置され、周壁部１１２の内側から歯根配置部１２及び支持片１５を覆う。
複数の歯根挿入部１６２は、複数の歯根配置部１２に対応する位置に設けられる。複数の歯根挿入部１６２は、対応する歯根配置部１２に配置される模型歯２０（より詳細には、後述の歯根部２２）の形状に対応した形状で歯根被覆部１６１に形成された貫通穴により構成される。
【００２９】
複数の歯肉凹部１６３は、歯肉部１６における基部１１側の面に設けられる。複数の歯肉凹部１６３は、それぞれ、歯根配置部１２及び支持片１５を覆う位置に形成される。複数の歯肉凹部１６３は、歯根配置部１２及び支持片１５の突出形状よりも大きく凹んでいる。これにより、図３に示すように、基部１１の一方の面１１ａ側に歯肉部１６を配置した状態では、歯肉部１６と歯根配置部１２及び支持片１５との間には、空間が形成される。複数の歯肉凹部１６３それぞれは、対応する歯根挿入部１６２に連続して形成される。
以上の歯肉部１６は、弾性を有する軟質の合成樹脂材を射出成形することにより構成される。
【００３０】
複数の模型歯２０は、模型本体１０に取り付けられる。複数の模型歯２０それぞれは、図２〜図４に示すように、歯冠部２１と、歯根部２２と、神経孔部２３と、ネジ孔部２４と、被支持部２５と、を備える。
【００３１】
歯冠部２１は、模型歯２０を模型本体１０に固定した状態で、歯肉部１６から露出する部分を構成する。
歯根部２２は、模型歯２０を模型本体１０に固定した状態で、歯肉部１６に覆われる部分を構成する。この歯根部２２は、図３〜図５に示すように、歯冠部２１側に位置する実歯部２２１と、模型歯２０における実歯部２２１の基端側に位置する延長部２２２と、を備える。
【００３２】
実歯部２２１は、解剖学的に必要とされる歯牙の長さに対応した長さ及び太さに構成される。
延長部２２２は、実歯部２２１における歯冠部２１側と反対側の端部に配置される。延長部２２２の長さは、歯科模型１の形状を人体の顎の形状に似せて構成する観点から、好ましくは１９ｍｍ以下、より好ましくは４ｍｍ以下である。また、延長部２２２の長さは、後述の支持片１５及び被支持部２６による模型歯２０の支持と併せて、適切な強度で模型歯２０を固定する観点から、好ましくは１ｍｍ以上、より好ましくは３ｍｍ以上である。
【００３３】
神経孔部２３は、模型歯２０の横断面視における略中央部に形成され、歯冠部２１から実歯部２２１に亘って延びる。
ネジ孔部２４は、延長部２２２に形成される。このネジ孔部２４の周面には、ネジ溝が形成される。第１実施形態では、ネジ孔部２４は、４ｍｍの長さで形成されている。
【００３４】
被支持部２５は、歯根部２２の側面（第１実施形態では延長部２２２の側面）に設けられる。より具体的には、被支持部２５は、図３及び図４に示すように、模型歯２０を模型本体１０に固定した状態において、歯科模型１の内側（舌が位置する側）Ｔを向く部分に設けられる。この被支持部２５は、模型歯２０を模型本体１０に固定した場合に、支持片１５に当接して支持される。被支持部２５には、支持片１５の係合凸部１５１に対応する形状の係合凹部２５１が形成されている。
【００３５】
以上の模型歯２０は、硬質の合成樹脂材を射出成形することにより構成される。また、ネジ孔部２４は、金属部材等により構成されず、模型歯を構成する合成樹脂材に、直接形成される。
【００３６】
ネジ３０は、軸部３１と頭部３２とを備える。軸部３１は、ネジ孔部２４の長さに対応した長さに構成される。軸部３１の周面には、ネジ孔部２４のネジ溝に対応したネジ山が形成される。
頭部３２は、基部１１に設けられた穴部１３の幅よりも大きな直径を有する。
以上のネジ３０は、基部１１における一方の面とは反対側の面側から穴部１３に差し込まれる。
【００３７】
次に、第１実施形態の歯科模型１を組み立てる手順につき説明する。
まず、基部１１の一方の面１１ａに歯肉部１６を取り付けて模型本体１０を組み立てる。ここで、歯肉部１６には、歯根配置部１２及び支持片１５に対応する位置に、歯根配置部１２及び支持片１５の突出形状よりも大きく凹んだ歯肉凹部１６３が設けられている（図３参照）。これにより、模型本体１０における歯根配置部１２及び支持片１５と、歯肉部１６との間には、所定の空間が形成されている。また、複数の穴部１３それぞれの位置は、複数の歯根挿入部１６２の位置と一致している。
【００３８】
次いで、模型本体１０に複数の模型歯２０を取り付ける。この場合、まず、歯根部２２を、歯肉部１６側から歯根挿入部１６２に挿入する。すると、延長部２２２の側面に設けられた被支持部２５が、基部１１の支持片１５に当接する。この状態で、歯根部２２を更に挿入すると、支持片１５は歯根部２２に押されて舌側Ｔに弾性変形する。
【００３９】
この状態から、模型歯２０を更に差し込むと、延長部２２２の先端は、穴部１３が形成された歯根配置部１２の突出端面（上面）に当接する。また、支持片１５に形成された係合凸部１５１が延長部２２２の被支持部２５に形成された係合凹部２５１に係合する。これにより、模型歯２０は、歯根部２２の被支持部２５が支持片１５により支持されることで、模型本体１０に支持される。
【００４０】
次いで、ネジ３０を、基部１１における一方の面とは反対側の面側から穴部１３に差し込んで、延長部２２２に形成されたネジ孔部２４に螺合させる。これにより、模型歯２０は、支持片１５及びネジ３０の双方によって、基部１１（歯根配置部１２）に強く固定される。
【００４１】
模型歯２０を取り替える場合には、ネジ３０を弛めて取り外した後、模型歯２０を上方に引き抜く。この場合にも、支持片１５は弾性変形して、係合凸部１５１が係合凹部２５１から外れるので、模型歯２０を容易に取り外すことができる。
【００４２】
第１実施形態では、複数の模型歯２０は、図５に示すように、略同じ長さに構成されている。より具体的には、複数の模型歯２０の長さは、解剖学的に必要な長さが最も長い歯である犬歯Ｃの歯冠部２１及び実歯部２２１の長さに、人体の顎の形状を損なうことなく設けられる延長部２２２の長さ（犬歯Ｃの場合には約４ｍｍ）を加えた長さと略等しく構成されている。即ち、複数の模型歯２０は、解剖学的に必要な長さはそれぞれ異なるが、延長部２２２の長さを適宜調整することで、模型歯２０全体としての長さが略等しく構成されている。
【００４３】
以上説明した第１実施形態の歯科模型１によれば、以下のような効果を奏する。
【００４４】
（１）歯科模型１を、支持片１５を備える模型本体１０（基部１１）と、被支持部２５を備える模型歯２０と、ネジ３０とを含んで構成し、模型歯２０を、支持片１５及びネジ３０により基部１１に固定した。これにより、模型歯２０を、支持片１５及びネジ３０という２つの手段により基部１１に固定できるので、ネジ３０の軸部を短く（例えば、４ｍｍ程度）構成した場合であっても、模型歯２０を模型本体１０に強く固定できる。よって、模型歯２０においてネジ３０が螺合されるネジ孔部２４の長さを短く構成できるので、模型歯２０を所望の長さで構成できる。
また、ネジ３０による模型歯２０の固定強度を低く設定できるので、ネジ孔部２４を、金属製の雌ネジ（ナット）を使用することなく、合成樹脂材製の歯根部２２に直接形成できる。よって、模型歯２０の製造時に、金属製の雌ネジを別個に製造して取り付ける必要がないので、模型歯２０の製造コストを低減できる。
【００４５】
（２）支持片１５の先端部に係合凸部１５ａを形成し、歯根部２２（延長部２２２）の側面に、係合凸部１５ａが係合する係合凹部２２ａを形成した。これにより、支持片１５による被支持部２５の支持をより強固に行えるので、模型歯２０を模型本体１０（基部１１）に、より強く固定できる。
【００４６】
（３）歯根部２２を、実歯部２２１と、延長部２２２とを含んで構成し、この延長部２２２２にネジ孔部２４を形成した。また、模型歯２０を、歯冠部２１から実歯部２２１に亘って延びる神経孔部２３を含んで構成した。これにより、実歯部２２１にネジ孔部２４が形成されないので、神経孔部２３を具備する模型歯２０を、実際の歯に似せて構成できる。また、ネジ孔部２４を短く構成できるので、延長部２２２の長さも短くでき、延長部２２２を設けることによって模型歯２０の形状が実際の歯と大きく相違することを防げる。その結果、模型歯２０を備える歯科模型１の形状を、実際の顎の形状に似せられる。
【００４７】
（４）基部１１の上面側に歯肉部１６を配置し、この歯肉部１６に、模型歯２０が挿入される歯根挿入部１６２を形成した。これにより、歯根挿入部１６２に挿入された模型歯２０の周囲を歯肉部１６により支持できるので、支持片１５による被支持部２５の支持をより好適に行える。
【００４８】
（５）歯肉部１６を、歯肉凹部１６３を含んで構成し、歯肉部１６と歯根配置部１２及び支持片１５との間に、空間を設けた。これにより、支持片１５の舌側Ｌに空間が形成されるので、支持片１５を舌側Ｔに容易に弾性変形させられる。よって、模型歯２０の模型本体１０対する取り付けをより容易に行える。
【００４９】
（６）模型歯２０の外側である唇側（頬側）Ｌは、模型歯２０の内側である舌側Ｔに比して、歯肉部１６の厚さが薄い。また、奥歯の歯根部（図示せず）は、頬側Ｌでは２本に分岐しており、舌側Ｔでは、分岐せずに１本となっている。そこで、支持片１５を、基部１１における模型歯２０の内側（舌側）Ｔに配置した。これにより、歯肉部１６の形状を実際の歯肉の形状と同様に形成した場合でも、支持片１５が歯肉部１６から露出せず、支持片１５を歯肉部１６により好適に被覆できる。よって、より実際の形状に似せた歯科模型１を提供できる。また、頬側Ｌの歯根部が２本に分岐している奥歯においても、歯根部が１本である舌側Ｔにおいて模型歯２０を好適に支持できる。
【００５０】
（７）複数の模型歯２０それぞれについて、解剖学的に必要な歯牙の長さに応じて延長部２２２の長さを変え、複数の模型歯２０の全長を略等しく構成した。これにより、模型歯２０が固定される基部１１の形状を簡素化できるので、模型本体１０の構造を簡素化できる。
【００５１】
次に、本発明の歯科模型の第２実施形態について、図６及び図７を参照しながら説明する。
尚、第２実施形態の説明にあたって、同一構成要件については同一符号を付し、その説明を省略もしくは簡略化する。
第２実施形態の歯科模型１は、模型本体１０の構成において、第１実施形態と異なる。具体的には、第２実施形態では、模型本体１０は、当接片１７を更に備える。
【００５２】
当接片１７は、図６及び図７に示すように、基部１１における模型歯２０を挟んで支持片１５と対向する位置に配置される。第１実施形態では、当接片１７は、基部１１における複数の歯根配置部１２が設けられた位置の外側Ｌに配置される。この当接片１７は、歯根配置部１２に模型歯２０が取り付けられた状態で、歯根部２２（延長部２２２）の側面に当接する。当接片１７は、基部１１と一体成形されている。
【００５３】
第２実施形態の歯科模型１Ａによれば、上記（１）〜（７）の効果を奏する他、以下のような効果を奏する。
【００５４】
（８）基部１１に当接片１７を設け、この当接片１７を、歯根部２２（延長部２２２）の側面（唇側Ｌ）に当接させた。これにより、模型歯２０を、支持片１５及び当接片１７の両方で支えられるので、模型歯２０をより強く基部１１に固定できる。
また、当接片１７を設けることで、支持片１５との間で模型歯２０を正確な位置で仮止め（位置決め）できるので、ネジ３０の軸部３１を、模型歯２０のネジ孔部２４に容易に螺合できる。よって、模型歯２０を基部１１に容易に取り付けられる。
【００５５】
次に、本発明の歯科模型の第３実施形態について、図８を参照しながら説明する。図８（Ａ）は、第３実施形態の歯科模型１におけるネジ孔部２４の形状及び大きさと、ネジ３０の軸部３１の直径との関係を模式的に示す図である。図８（Ｂ）は、図８（Ａ）のＢ−Ｂ線断面図である。
【００５６】
第３実施形態の歯科模型１は、主として、模型歯２０のネジ孔部２４の構成において、第１実施形態と異なる。
第３実施形態では、図８（Ａ）に示すように、ネジ孔部２４は、平面視（孔の延びる方向に直交する方向の断面視）で、正五角形形状に構成される。そして、このネジ孔部２４の径Ｌ１は、ネジ３０の軸部３１の直径Ｌ２よりも小さく構成される。ここで、軸部３１の直径とは、雄ネジ部３１１の先端間の径方向における距離（軸部３１において最も直径の大きい部分の長さ）を表す。
より詳細には、正五角形形状のネジ孔部２４における中心から各頂点までの長さＬ１１は、軸部３１のネジ溝部３１２における半径Ｌ２２よりも長く、本実施形態では軸部３１の雄ネジ部３１１における半径Ｌ２１と略等しく構成される。また、ネジ孔部２４における中心から各辺の中点までの長さＬ１２は、軸部３１のネジ溝部３１２における半径Ｌ２２よりも短く構成される。
【００５７】
図８（Ｂ）に示すように、ネジ孔部２４の入り口の径Ｌ３は、軸部３１の直径よりも大きく形成されている。そして、ネジ孔部２４は、入り口の径Ｌ３から奥側に向かって径Ｌ２になるまで縮径し、径Ｌ２の大きさで奥側に延びる。また、第３実施形態では、ネジ孔部２４には、ネジ溝は形成されていない。
【００５８】
第３実施形態の歯科模型１では、模型歯２０は、以下のようにして、模型本体１０に固定される。
まず、歯根配置部１２に配置された模型歯２０に対して、ネジ３０を、基部１１における一方の面とは反対側の面側から穴部１３に差し込み、軸部３１の先端をネジ孔部２４の入り口に位置させる。次いで、軸部３１の先端がネジ孔部２４の縮径した部分に当接するまで挿入する。次いで、軸部３１を回転させながらネジ３０をネジ孔部２４に押し込む。すると、軸部３１は、雄ネジ部３１１によりネジ孔部２４の周面を削りながら、ネジ孔部２４に螺合される。これにより、模型歯２０は、模型本体１０に固定される。
ここで、雄ネジ部３１１により削り取られた模型歯２０を構成する合成樹脂材は、図８（Ａ）に示すように、ネジ孔部２４と軸部３１との間に形成される隙間２４１に集積される。
【００５９】
第３実施形態の歯科模型１によれば、上記（１）〜（７）の効果を奏する他、以下のような効果を奏する。
【００６０】
（９）ネジ孔部２４の径を、軸部３１の直径よりも小さい部分を有して構成した。これにより、ネジ３０を、雄ネジ部３１１によりネジ孔部２４の周面を削りながら模型歯２０に接続できる。よって、ネジ孔部２４にネジ溝を形成することなく模型歯２０を成形できるので、模型歯２０の成形をより容易に行える。
【００６１】
（１０）ネジ孔部２４をネジ溝部３１２における半径Ｌ２２よりも長い部分を有して構成した。これにより、軸部３１をネジ孔部２４に螺合させる場合に生じる、雄ネジ部３１１により削り取られた模型歯２０を構成する合成樹脂材を、ネジ孔部２４と軸部３１との間に形成される隙間２４１に集積させられる。よって、雄ネジ部３１１により削り取られた合成樹脂材により、軸部３１のネジ孔部２４への挿入が阻害されないので、好適に軸部３１をネジ孔部２４に螺合させられる。
【００６２】
以上、本発明の好ましい実施形態について説明したが、本発明は上述した実施形態に制限されることなく、種々の形態で実施することができる。
例えば、第１実施形態及び第２実施形態では、本発明を、下顎側の構造を模した歯科模型１に適用したが、これに限らない。即ち、本発明を、上顎側の構造を模した歯科模型、又は下顎側及び上顎側の構造を模した双方を備える歯科模型に適用してもよい。
【００６３】
また、第１実施形態及び第２実施形態では、基部１１（ベース板１１１と周壁１１ｂ）、支持片１５、及び当接片１７を一体的に構成したが、これに限らない。即ち、基部と、支持片と、当接片とをそれぞれ別部材として成形し、その後、接着材等を用いてこれらを一体化してもよい。
【００６４】
また、第１実施形態及び第２実施形態では、被支持部２５を延長部２２２に形成したが、これに限らない。即ち、被支持部を実歯部に形成してもよい。
【００６５】
また、第１実施形態及び第２実施形態では、支持片１５は模型歯の内側に設けたが、これに限られず、外側に設けてもよい。支持片１５の数は、１つの模型歯に対し１個に限られず、２個以上であってもよい。また、支持片１５の位置や数は、模型歯ごとに異ならせてもよい。
【００６６】
また、第１実施形態及び第２実施形態では、ネジ孔部２４を、模型歯を構成する合成樹脂材に直接形成したが、これに限られず、別に形成して組み入れてもよい。
【００６７】
また、第１実施形態及び第２実施形態では、支持片１５の先端部に係合凸部１５ａを形成し、歯根部２２（延長部２２２）の側面に、係合凸部１５ａが係合する係合凹部２２ａを形成したが、これに限らない。即ち、歯根部の側面に係合凸部を形成し、支持片の先端部に、係合凸部が係合する係合凹部を形成してもよい。また、歯根部の側面及び支持片の先端部の双方に、係合凸部及び係合凹部をセットで設けてもよい。
【００６８】
また、第３実施形態では、ネジ孔部２４の形状を正五角形形状に構成したが、これに限らない。即ち、ネジ孔部２４の形状は、正円でないことが好ましく、任意の形状であってよいが、特に対称形状（例えば正多角形）であることが好ましい。例えば、ネジ孔部２４の形状を、図９（Ａ）に示すように、正方形に構成してもよく、また、図９（Ｂ）に示すように、正六角形形状に構成してもよい。ただし、ネジ孔部２４の形状は、正円であってもよい。
ここで、ネジ孔部２４の形状を多角形形状とした場合、角数が小さくなるほど、雄ネジ部３１１がネジ孔部２４の周面に食い込む部分が広くなり、ネジ３０の模型歯２０に対する固定力は向上するが、ネジ３０の模型歯２０に対する着脱（特に取り付け）に力を要する。また、多角形形状の角数が大きくなるほど、雄ネジ部３１１がネジ孔部２４の周面に食い込む部分が狭くなり、ネジ３０の模型歯２０に対する固定力は低下するが、ネジ３０の模型歯２０に対する着脱（特に取り付け）を容易に行える。
【符号の説明】
【００６９】
１  歯科模型
１０  模型本体
１１  基部
１１ａ  一方の面
１２  歯根配置部
１３  穴部
１５  支持片
１６  歯肉部
１７  当接片
２０  模型歯
２１  歯冠部
２２  歯根部
２３  神経孔部
２４  ネジ孔部
２５  被支持部
３０  ネジ
３１  軸部
３２  頭部
１５１  係合凸部
１６２  歯根挿入部
２５１  係合凹部
２２１  実歯部
２２２  延長部
Ｔ  舌側（内側）
Ｌ  唇側（頬側）
【図１】
2012124714.tif 000003
【図２】
2012124714.tif 000004
【図３】
2012124714.tif 000005
【図４】
2012124714.tif 000006
【図５】
2012124714.tif 000007
【図６】
2012124714.tif 000008
【図７】
2012124714.tif 000009
【図８】
2012124714.tif 000010
【図９】
2012124714.tif 000011
【国際調査報告】
2012124714.tif 000012
2012124714.tif 000013
2012124714.tif 000014
2012124714.tif 000015